(57)【要約】  一週間における空調運転のスケジュールが設定された設定テーブル１１を記憶する記憶部１２と、設定テーブル１１のスケジュールに従って運転制御を行う制御部１３とを備えた空気調和装置１において、一週間の一部の対象時間帯の運転情報１５を設定するリモートコントローラ１４と、設定された対象時間帯の運転情報１５を一時的に記憶する一時記憶部１６と、を備え、制御部１３は、設定テーブル１１のスケジュールに優先して、一時記憶部１６に記憶された対象時間帯の運転情報１５に基づく運転制御を行う。
2016157498.tif 000002
【特許請求の範囲】
【請求項１】
一定期間における空調運転のスケジュールが設定された設定テーブルを記憶する記憶部と、前記設定テーブルの前記スケジュールに従って運転制御を行う制御部とを備えた空気調和装置において、
前記一定期間の一部の対象時間帯の運転情報を設定するリモートコントローラと、
設定された前記対象時間帯の運転情報を一時的に記憶する一時記憶部と、を備え、
前記制御部は、前記設定テーブルのスケジュールに優先して、前記一時記憶部に記憶された前記対象時間帯の運転情報に基づく運転制御を行うことを特徴とする空気調和装置。
【請求項２】
前記対象時間帯の運転情報は、該運転情報に基づく動作制御が終了すると、前記一時記憶部から消去されることを特徴とする請求項１に記載の空気調和装置。
【請求項３】
空調運転の開始時刻及び終了時刻を設定可能な入切タイマを備え、前記入切タイマにより、前記対象時間帯の開始時刻及び終了時刻と、前記開始時刻での運転動作とが設定されることを特徴とする請求項１または請求項２に記載の空気調和装置。
【請求項４】
空調運転の開始及び終了をそれぞれイベント登録して、各イベントの開始時刻を設定可能なイベント登録型入切タイマを備え、前記イベントの開始時刻、及び、該開始時刻での運転動作をそれぞれ登録することにより、前記対象時間帯の開始時刻及び終了時刻と、前記開始時刻での運転動作とが設定されることを特徴する請求項１または請求項２に記載の空気調和装置。
【請求項５】
空調運転の開始及び終了をそれぞれイベント登録して、各イベントの継続時間を設定可能なイベント登録型入切タイマを備え、前記イベントの継続時間、該継続時間中の運転動作をそれぞれ登録することにより、前記対象時間帯と、前記対象時間帯での運転動作とが設定されることを特徴する請求項１または請求項２に記載の空気調和装置。
【発明の詳細な説明】
【技術分野】
【０００１】
本発明は、予め設定されたスケジュールに従って空調運転が行われる空気調和装置に関する。
【背景技術】
【０００２】
従来、一定期間（例えば一週間）の空調運転を予め設定されたスケジュールに従って行う空気調和装置が知られている。この種の空気調和装置では、空調運転は、開始時刻及び終了時刻などのスケジュールが設定された設定テーブルに基づいてスケジュール制御されている。このため、スケジュールの一部を急遽変更する場合には、スケジュール制御をリセットするか、または、変更する開始時刻及び終了時刻に、ユーザが手動で空調運転の開始及び終了を行う必要があった。一方、従来、ユーザが設定した設定情報における運転／停止時刻の自動送信タイミングで、記憶された設定情報を出力することで、リモートコントローラと受信側とでデータの同一性を確保し、スケジュールが設定された設定テーブルを変更する技術が提案されている（例えば、特許文献１参照）。
【先行技術文献】
【特許文献】
【０００３】
【特許文献１】特開２０１０−２４３０７４号公報
【発明の概要】
【発明が解決しようとする課題】
【０００４】
ところで、空調運転のスケジュールの一部変更は、対象となる日、または、時間帯の予定変更に伴う一時的な場合が多い。このため、空調運転のスケジュールの一部変更のたびに、設定テーブルを変更していては、変更した時間の経過後に、元のスケジュールの設定テーブルに戻す必要があるため、変更作業が煩雑となる。【０００５】
この発明は、上記の課題を解決するためになされたもので、目的は、スケジュールが設定された設定テーブルを変更することなく、快適な空調運転を簡単に実現できる空気調和装置を提供することにある。
【課題を解決するための手段】
【０００６】
この発明は、一定期間における空調運転のスケジュールが設定された設定テーブルを記憶する記憶部と、設定テーブルのスケジュールに従って運転制御を行う制御部とを備えた空気調和装置において、一定期間の一部の対象時間帯の運転情報を設定するリモートコントローラと、設定された対象時間帯の運転情報を一時的に記憶する一時記憶部と、を備え、制御部は、設定テーブルのスケジュールに優先して、一時記憶部に記憶された対象時間帯の運転情報に基づく運転制御を行うことを特徴とする。
【発明の効果】
【０００７】
この発明に係る空気調和装置によれば、スケジュールが設定された設定テーブルを変更することなく、所望する対象時間帯を自在に変更できるため、快適な空調運転を簡単に実現できる。
【図面の簡単な説明】
【０００８】
【図１】本発明の実施の形態１にかかる空気調和装置のブロック図
【図２】空調運転のスケジュールが設定された設定テーブルの一例を示す図
【図３】変更が所望される対象時間帯を示す設定テーブルの一例を示す図
【図４】実施の形態１における対象時間帯の運転情報を設定する手順の一例を示すフローチャート
【図５】実施の形態２における空調運転のスケジュールを変更する際の設定内容を示す図
【図６】変更が所望される対象時間帯を示す設定テーブルの一例を示す図
【図７】実施の形態２における対象時間帯の運転情報を設定する手順の一例を示すフローチャート
【図８】実施の形態２における空調運転のスケジュールを変更する際の設定内容を示す図
【図９】実施の形態２における空調運転のスケジュールを変更する際の設定内容を示す図
【図１０】変更が所望される対象時間帯を示す設定テーブルの一例を示す図
【図１１】実施の形態３における対象時間帯の運転情報を設定する手順の一例を示すフローチャート
【発明を実施するための形態】
【０００９】
以下に、本発明の実施の形態にかかる位置決め制御装置を図面に基づいて詳細に説明する。なお、この実施の形態によりこの発明が限定されるものではない。
【００１０】
実施の形態１．
図１は、本発明の実施の形態１にかかる空気調和装置の室内機のブロック図である。空気調和装置１は、屋内に設置される室内機１０と、屋外に設置される室外機（不図示）とを備え、室外機で圧縮された冷媒を室内機１０との間で循環させることにより、室内機１０が設置された屋内空間の冷房及び暖房を含む空調運転を行う。室内機１０は、一定期間である一週間における空調運転のスケジュールが設定された設定テーブル１１を記憶する記憶部１２と、設定テーブル１１のスケジュールに従って空調運転の運転制御を行う制御部１３とを備える。また、室内機１０は、制御部１３と通信可能に接続され、一週間の一部である対象時間帯の運転情報１５を設定するためのリモートコントローラ１４と、このリモートコントローラ１４によって設定された対象時間帯の運転情報１５を一時的に記憶する一時記憶部１６とを備える。また、リモートコントローラ１４は各種設定を行うための設定操作部１８を備える。
【００１１】
制御部１３は、マイコンなどのコンピュータによって構成されて空調運転を実行する。制御部１３は、時計機能を有する入切タイマ１７を備える。実施の形態１では、入切タイマ１７は、空調運転の開始時刻を設定する入りタイマの機能と、空調運転の終了時刻を設定する切りタイマの機能とを備えた構成となっている。この入切タイマ１７の設定操作部１８を操作することにより、設定テーブル１１のスケジュール、及び、後述する対象時間帯の開始時刻及び終了時刻を含む運転情報１５が設定される。また、入切タイマ１７は、対象時間帯の運転情報１５とは別個に、リモートコントローラ１４の設定操作部１８を介して、通常のタイマ運転を手動で設定することもできる。
【００１２】
記憶部１２は、例えば、一週間における空調運転のスケジュールが予め設定された設定テーブル１１を記憶する。この設定テーブル１１は、リモートコントローラ１４の設定操作部１８を介してスケジュールを設定することが可能である。具体的には、設定操作部１８から、スケジュール機能を選択した後、一週間のスケジュールを設定し、このスケジュールが設定された設定テーブル１１を、制御部１３を通じて記憶部１２に記憶する。この設定テーブル１１には、空調運転のスケジュールとして、空調運転の開示時刻及び終了時刻、空調運転時の設定温度及び風量などが設定されている。なお、スケジュールが設定できる一定期間は、一週間に限るものではなく、例えば、一日または一カ月など適宜に変更することができる。
【００１３】
図２は、空調運転のスケジュールが設定された設定テーブルの一例を示す図である。ここで、図２は、空調運転を行う時間帯をＯＮ、空調運転が停止される時間帯をＯＦＦと示している。図２では、一週間の空調運転のスケジュールが設定され、設定されたスケジュールを繰り返して実行するようになっている。図２の例では、月曜日の午前１２時（０：００）から午前８時まで空調運転を行い、午前８時から午後８時まで空調運転を停止し、午後８時から午前１２時まで、再び空調運転を行うようなスケジュールが設定されている。このため、このスケジュールでは、午前８時に空調運転を停止する切りタイマが設定され、午後８時に空調運転を開始する入りタイマが設定される制御となる。
【００１４】
また、火曜日から金曜日についても、月曜日と同じスケジュールが設定されている。一方、休日である土曜日と日曜日は、平日の月曜日から金曜日と生活スタイルが違うため、スケジュールがそれぞれ設定されている。
【００１５】
図２の例では、土曜日は、午前１２時から午前８時まで空調運転を行い、午前８時から午後６時まで空調運転を停止し、午後６時から午後８時まで空調運転を行い、午後８時から午前１２時まで空調運転を停止し、午前１２時から再び空調運転を行うようなスケジュールが設定される。このため、このスケジュールでは、午前８時に切りタイマが設定され、以降、午後６時に入りタイマ、午後８時に切りタイマ、午前１２時に入りタイマが設定される制御となる。
【００１６】
このように、空気調和装置１は、予め一週間のスケジュールを設定した設定テーブル１１を備え、設定されたスケジュールに従った空調運転の運転制御が実行されている。一方で、急な予定変更などが起こるのはよくあると考えられ、例えば、急に、土曜日の午後４時から午後１０時まで来客があることも考えられる。この場合、来客予定に合わせて、設定テーブル１１のスケジュールを変更することも可能ではあるが、このようなスケジュール変更は、対象となる日、または、時間帯の予定変更に伴う一時的な場合が多い。さらに、設定テーブル１１を変更した場合には、来客後に、再び、元のスケジュールの設定テーブルに戻す必要があり、変更作業が煩雑となる。
【００１７】
このため、室内機１０は、図１に示すように、スケジュールの変更を所望する対象時間帯の運転情報１５を記憶する一時記憶部１６を備える。ここで、対象時間帯Ａは、一定時間である一週間のうちの一部の時間帯であり、上記した例では、図３に示すように、来客予定のある土曜日の午後４時から午後１０時までとなる。対象時間帯Ａの運転情報１５は、リモートコントローラ１４の設定操作部１８により設定可能である。具体的には、図４に示すように、まず、対象時間帯の曜日を選択した後に、対象時間帯のスタート時間を設定する（Ｓａ１）。次に、対象時間帯Ａのエンド時間を設定する（Ｓａ２）。次に、設定したスタート時間及びエンド時間に変更があるかを判断し（Ｓａ３）、変更があればスタート時間設定に戻り、変更がなければ、設定完了となる。ここで、入切タイマ１７は、構成が簡素な簡易入切タイマであり、スタート時間及びエンド時間は、入切タイマ１７のタイマ設定時刻を示している。例えば、スタート時間の設定に入りタイマ機能を用いた場合には、設定されたスタート時間が空調運転の開始時刻となり、エンド時間が空調運転の終了時刻となる。また、スタート時間の設定に切りタイマ機能を用いた場合には、設定されたスタート時間が空調運転の終了時刻となり、エンド時間が空調運転の開始時刻となる。図３の例では、入切タイマ１７の入りタイマ機能を用いて、土曜日の午後４時をスタート時間に設定するとともに、午後１０時をエンド時間に設定する。
【００１８】
この設定された空調運転の開始時刻であるスタート時間及び空調運転の終了時刻であるエンド時間は、対象時間帯の運転情報１５として一時記憶部１６に記憶される。そして、制御部１３は、対象時間帯の運転情報１５が一時記憶部１６に記憶された場合には、記憶された対象時間帯が到来する際に、一時記憶部１６から運転情報１５を読み出し、読み出した運転情報１５を設定テーブル１１のスケジュールよりも優先して空調運転の制御を行う。すなわち、制御部１３は、運転情報１５に基づき、午後４時から午後１０時まで空調運転を行い、午後１０時に空調運転を停止する。このため、設定テーブル１１のスケジュールを変更することなく、所望のスケジュール変更に従った快適な空調運転を簡単に実現することができる。また、所望のスケジュールに簡単に変更できるため、無駄に空調運転が行われることを抑制し、消費エネルギの低減を図ることができる。さらに、実施の形態１では、入切タイマ１７を用いて、対象時間帯の開始時刻及び終了時刻を設定するだけであるため、簡単に設定操作を行うことができる。
【００１９】
また、制御部１３は、一時記憶部１６に記憶された対象時間帯の運転情報１５を、該対象時間が経過した時点で一時記憶部１６から消去する。このため、急なスケジュール変更後に、設定テーブル１１を元のスケジュールに戻す必要がないため、いつでも気軽にスケジュール変更を簡易に行えるため、快適な空調運転の管理を円滑に行うことができる。
【００２０】
実施の形態２．
次に、本発明の実施の形態２について説明する。実施の形態１では、対象時間帯の運転情報１５を設定する入切タイマ１７が簡易入切タイマである構成として説明したが、この実施の形態２では、入切タイマ１７が開始時刻指定のイベント登録型の入切タイマである構成を説明する。実施の形態２にかかる空気調和装置は、図１に示す空気調和装置と同一の構成であるため、説明は省略する。また、一週間のスケジュールが設定された設定テーブル１１は、図２と同じである。
【００２１】
図５は、実施の形態２における空調運転のスケジュールを変更する際の設定内容を示す図である。実施の形態２では、入切タイマ１７がイベント登録型の入切タイマであり、リモートコントローラ１４には、入りタイマ及び切りタイマの時刻設定がイベントごとに表示されるようになっている。図５では、一例として、土曜日と日曜日とが記載されているが、表示される態様は適宜変更することが可能である。また、スケジュールの変更を所望する対象時間帯は、図６に示すように、土曜日の午後４時から午後１０時までの対象時間帯Ａと、日曜日の午前２時から午前４時までの対象時間帯Ｂである。
【００２２】
このイベント登録型の入切タイマでは、図５に示すように、イベントごとに、イベントが開始する時刻、イベント開始時の運転状態（運転または停止）、及び、設定温度が登録される。具体的には、対象時間帯Ａの運転情報１５を設定する場合には、図７に示すように、まず、イベントを登録し（Ｓｂ１）、登録されたイベントの曜日を設定する（Ｓｂ２）とともに、該イベントの開始時刻を設定する（Ｓｂ３）。具体的には、イベントとしてイベント１を登録し、イベント１の開始時刻を午後４時（１６：００）と設定する。イベント１の開始時刻は、対象時間帯Ａの開始時刻となる。
【００２３】
続いて、イベント１の開始時の空調運転の状態を運転（ＯＮ）と設定する（Ｓｂ４）とともに、設定温度を２５℃と設定する（Ｓｂ５）。そして、この各項目が設定されたイベント１に変更があるかを判断し（Ｓｂ６）、変更があれば処理をステップＳｂ２に戻し、変更がなければ、処理をステップＳｂ７に移行する。
【００２４】
次に、イベントの追加登録があるかを判別し（Ｓｂ７）、イベントの追加登録があれば処理をステップＳｂ８に移行し、追加登録がなければ、設定完了となる。この例では、イベント２があるため、処理をステップＳｂ８に移行し、上記したステップＳｂ１からステップＳｂ７と同様な処理を行う。具体的には、イベントとしてイベント１を登録し、イベント２の開始時刻を午後１０時（２２：００）と設定する。このイベント２の開始時刻は、対象時間帯Ａの終了時刻となる。また、イベント２の開始時の空調運転の状態を停止（ＯＦＦ）と設定する。この場合、空調運転が停止されるため、温度の設定はスキップされる。このため、土曜日については、図５に示すように、イベント１は土曜日の午後４時に空調運転を２５℃で開始するという内容が設定される。また、イベント２は土曜日の午後１０時に空調運転を停止する内容が設定される。このため、土曜日の午後４時から午前１０時まで２５℃で運転する入切タイマの制御となる。
【００２５】
次に、対象時間帯Ｂの運転情報１５を設定する。このイベント登録型の入切タイマは、イベントを曜日ごとに登録しており、各曜日は午前０時から始まる２４時間で管理しているので、対象時間帯Ｂは、日曜日のイベントとして登録される。このため、日曜日については、図５に示すように、イベント１は日曜日の午前０時に空調運転を２６℃で開始するという内容が設定される。また、イベント２は日曜日の午前２時に空調運転を停止する内容が設定される。さらに、イベント３は日曜日の午前４時に空調運転を２５℃で開始するという内容が設定される。このため、日曜日の午前０時から午前２時まで２６℃で運転、午前２時から午前４時まで停止、午前４時から２５℃で運転する入切タイマの制御となる。
【００２６】
この設定されたイベントごとの設定情報は、対象時間帯Ａ及び対象時間帯Ｂの各運転情報１５として一時記憶部１６に記憶される。そして、制御部１３は、対象時間帯Ａ及びｚＢの運転情報１５が一時記憶部１６に記憶された場合には、記憶された対象時間帯Ａ及びＢが到来する際に、一時記憶部１６から運転情報１５を読み出し、読み出した運転情報１５を設定テーブル１１のスケジュールよりも優先して空調運転の制御を行う。すなわち、制御部１３は、運転情報１５に基づき、土曜日の午後４時から午後１０時まで２５℃で空調運転を行い、午後１０時に空調運転を停止する。さらに、日曜日の午前０時から午前２時まで２６℃で空調運転を行い、午前２時から午前４時まで空調運転を停止し、再び、午前４時から２５℃で空調運転を行うように制御する。このため、設定テーブル１１のスケジュールを変更することなく、所望のスケジュール変更に従った快適な空調運転を簡単に実現することができる。また、所望のスケジュールに簡単に変更できるため、無駄に空調運転が行われることを抑制し、消費エネルギの低減を図ることができる。さらに、実施の形態２では、イベント登録型の入切タイマを用いているため、変更を所望する対象時間帯が複数ある場合でも簡単にスケジュールを変更することができる。
【００２７】
また、制御部１３は、一時記憶部１６に記憶された対象時間帯の運転情報１５を、該対象時間が経過した時点で一時記憶部１６から消去する。このため、急なスケジュール変更後に、設定テーブル１１を元のスケジュールに戻す必要がないため、いつでも気軽にスケジュール変更を簡易に行えるため、快適な空調運転の管理を円滑に行うことができる。
【００２８】
実施の形態３．
次に、本発明の実施の形態３について説明する。実施の形態２では、入切タイマ１７が、開始時刻を指定するイベント登録型の入切タイマであったが、実施の形態３では、入切タイマ１７が開始時刻を指定しないイベント登録型入切タイマである構成を説明する。実施の形態３にかかる空気調和装置は、図１に示す空気調和装置と同一の構成であるため、説明は省略する。また、一週間のスケジュールが設定された設定テーブル１１は、図２と同じである。
【００２９】
図８及び図９は、それぞれ実施の形態３における空調運転のスケジュールの一部を示す図である。実施の形態３では、入切タイマ１７が開始時刻を指定しないイベント登録型の入切タイマであり、直近のスケジュールを簡単に変更するものである。このため、リモートコントローラ１４には、イベントの継続時間がイベントごとに表示されるようになっている。一例として、図８では土曜日を、図９では日曜日を記載しているが、表示される態様は適宜変更することが可能である。また、スケジュールの変更を所望する対象時間帯は、図３に示すように、土曜日の午後４時から午後１０時までの対象時間帯Ａと、図１０に示すように、日曜日の午前２時から午前４時までの対象時間帯Ｂである。
【００３０】
開始時刻を指定しないイベント登録型の入切タイマでは、図８及び図９に示すように、イベントごとに、このイベントが継続する継続時間、イベントが継続中の運転状態（運転または停止）、及び、設定温度が登録される。具体的には、対象時間帯Ａの運転情報１５を設定する場合には、図１１に示すように、まず、イベントを登録し（Ｓｃ１）、登録されたイベントが継続される継続時間を設定する（Ｓｃ２）。具体的には、イベントとしてイベント１を登録し、イベント１の継続時間を６時間と設定する。
【００３１】
続いて、イベント１の開始時の空調運転の状態を運転（ＯＮ）と設定する（Ｓｃ３）とともに、設定温度を２５℃と設定する（Ｓｂ４）。そして、この各項目化設定されたイベント１に変更があるかを判断し（Ｓｃ５）、変更があれば処理をステップＳｂ２に戻し、変更がなければ、処理をステップＳｃ６に移行する。
【００３２】
実施の形態３では、開始時刻を指定しないイベント登録型の入切タイマを用いているため、上記した設定を、例えば、土曜日の午後４時よりも前に行うことで、おおよそ午後４時から午後１０時までの６時間に亘り、設定温度を２５℃の空調運転を行うことができる。
【００３３】
次に、イベントの追加登録があるかを判別し（Ｓｃ６）、イベントの追加登録があれば処理をステップＳｃ７に移行し、追加登録がなければ、設定完了となる。この例では、イベント２がないため、設定完了となる。イベントの追加登録がある場合には、処理をステップＳｃ７８に移行し、上記したステップＳｃ１からステップＳｃ６と同様な処理を行う。
【００３４】
設定されたイベントごとの設定情報は、対象時間帯Ａの運転情報１５として一時記憶部１６に記憶される。そして、制御部１３は、対象時間帯Ａの運転情報１５が一時記憶部１６に記憶された場合には、一時記憶部１６から運転情報１５を読み出し、読み出した運転情報１５を設定テーブル１１のスケジュールよりも優先して空調運転の制御を行う。すなわち、制御部１３は、運転情報１５が一時記憶部１６に記憶されると、該運転情報１５を設定テーブル１１のスケジュールよりも優先して空調運転の制御を行う。実施の形態３では、設定変更時点から設定された継続時間にわたり空調運転の制御が行われるため、設定変更の直前であっても簡単にスケジュールを変更することができる。なお、対象時間帯の運転情報１５が設定された時点から、実際に運転情報１５に基づく空調運転を行うまでの時間が適宜変更することが可能であり、運転情報１５が一時記憶部１６に記憶されてから予め定めた時間経過後であってもよい。また、制御部１３は、一時記憶部１６に記憶された対象時間帯の運転情報１５を、該対象時間が経過した時点で一時記憶部１６から消去する。このため、急なスケジュール変更後に、設定テーブル１１を元のスケジュールに戻す必要がないため、いつでも気軽にスケジュール変更を簡易に行えるため、快適な空調運転の管理を円滑に行うことができる。
【００３５】
続いて、日曜日の午前０時よりも前に、対象時間帯Ａの運転情報１５を設定する。設定手順は、上記した図１１と同一であるため、説明は省絡するが、日曜日については、図９に示すように、イベント１は日曜日の午前０時頃から空調運転を２６℃で２時間継続するという内容が設定される。また、イベント２は、イベント１の終了後に、空調運転を２時間停止する内容が設定される。さらに、イベント３は、イベント２の終了後に、空調運転を２５℃で４時間継続するという内容が設定される。このため、おおよそではあるものの、日曜日の午前０時から午前２時まで２６℃で運転、午前２時から午前４時まで停止、午前４時から２５℃で運転する入切タイマの制御となる。
【００３６】
実施の形態３では、入切タイマ１７が開始時刻を指定しないイベント登録型入切タイマであるため、設定変更の直前であっても簡単にスケジュールを変更することができる。また、所望のスケジュールに簡単に変更できるため、無駄に空調運転が行われることを抑制し、消費エネルギの低減を図ることができる。
【符号の説明】
【００３７】
１  空気調和装置、１０  室内機、１１  設定テーブル、１２  記憶部、１３  制御部、１４  リモートコントローラ、１５  運転情報、１６  一時記憶部、１７  入切タイマ、１８  設定操作部、Ａ，Ｂ  対象時間帯。
【図１】
2016157498.tif 000003
【図２】
2016157498.tif 000004
【図３】
2016157498.tif 000005
【図４】
2016157498.tif 000006
【図５】
2016157498.tif 000007
【図６】
2016157498.tif 000008
【図７】
2016157498.tif 000009
【図８】
2016157498.tif 000010
【図９】
2016157498.tif 000011
【図１０】
2016157498.tif 000012
【図１１】
2016157498.tif 000013
【国際調査報告】
2016157498.tif 000014
2016157498.tif 000015
2016157498.tif 000016
2016157498.tif 000017